【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
動画配信サーバから配信される動画データを受信して出力装置に再生させる端末装置にネットワークを介して接続され、前記動画データの再生時間を示す再生時間情報と、当該再生時間情報に対応付けられるコメントとを記憶するコメント情報記憶手段を備えたコメント配信サーバと、
所定の処理を実行させるコマンドを記憶するコマンド情報記憶手段を備えたコマンド配信サーバとを備えた配信システムであって、
前記端末装置が、前記動画配信サーバに接続し、前記動画配信サーバに動画データを要求して受信する際に、
前記コメント配信サーバは、
要求された動画データに対応するコメント及び当該コメントに対応付けられる再生時間情報を前記端末装置に送信し、前記端末装置が前記出力装置に再生させる動画データの再生時間に従って、前記コメントを前記動画データが再生される前記出力装置に出力させるコメント情報配信部を備え、
前記コマンド配信サーバは、
前記出力装置に出力される前記コメントに対応するコマンドを前記端末装置に送信し、当該コマンドに応じた前記所定の処理を実行させるコマンド情報配信部
を備えたことを特徴とする配信システム。
【請求項２】
前記コマンド配信サーバの、
前記コマンド情報記憶手段は、
前記コマンドを、前記再生時間情報に対応付けて記憶し、
前記コマンド情報配信部は、
前記端末装置が要求した動画データに対応するコマンド及び当該コマンドに対応付けられる再生時間情報を前記端末装置に送信し、前記端末装置が前記出力装置に再生させる動画データの再生時間に従って、送信した当該コマンドに応じた前記所定の処理を実行させる
ことを特徴とする請求項１に記載の配信システム。
【請求項３】
前記コマンドが実行させる所定の処理は、
前記コメント配信サーバから送信されるコメントのうち、前記コマンドに予め定められる、コメントとして出力可能であるコメントの個数を計数し、計数した個数に基づいて前記コマンドに応じた処理を実行する処理である
ことを特徴とする請求項１または請求項２に記載の配信システム。
【請求項４】
前記コマンドが実行させる所定の処理は、
前記コメント配信サーバから送信されるコメントに基づいて、前記コマンドに予め定められる条件に合致するか否かを判定し、判定結果に応じて前記コマンドに応じた処理を実行する処理である
ことを特徴とする請求項１または請求項２に記載の配信システム。
【請求項５】
前記コマンドが実行させる所定の処理は、
前記端末装置のユーザには、ユーザ識別情報が予め付与されており、
前記コメント配信サーバから送信されるコメントに対応付けられるユーザ識別情報と、当該コメントとに基づいて行う処理である
ことを特徴とする請求項１または請求項２に記載の配信システム。
【請求項６】
前記コマンドが実行させる所定の処理は、
前記コメント配信サーバから送信されるコメントに基づいて、前記端末装置が前記出力装置に描画を行わせる処理である
ことを特徴とする請求項１または請求項２に記載の配信システム。
【請求項７】
前記コマンド実行手段が実行させる所定の処理は、
前記コメント配信サーバから送信されるコメントに基づいて、前記コマンドに予め定められるリンク先へ接続を切り替えて、前記出力装置に他の情報を出力、あるいは他の動画データを再生する処理である
ことを特徴とする請求項１または請求項２に記載の配信システム。
【請求項８】
前記コマンド実行手段が実行させる所定の処理は、
前記コメント配信サーバから送信されるコメントを表示させる位置、フォント、文字のサイズを指定する情報に応じて前記コメントを出力させる処理である
ことを特徴とする請求項１または請求項２に記載の配信システム。
【請求項９】
動画配信サーバから配信される動画データを受信して出力装置に再生させる端末装置にネットワークを介して接続され、前記動画データの再生時間を示す再生時間情報と、当該再生時間情報に対応付けられるコメントとを記憶するコメント情報記憶手段を備えたコメント配信サーバと、
所定の処理を実行させるコマンドを、前記再生時間情報に対応付けて記憶するコマンド情報記憶手段を備えたコマンド配信サーバとを備えた配信システムであって、
前記端末装置が、前記動画配信サーバに接続し、前記動画配信サーバに動画データを要求して受信する際に、
前記コメント配信サーバは、
要求された動画データに対応するコメント及び当該コメントに対応付けられる再生時間情報を前記端末装置に送信し、前記端末装置が前記出力装置に再生させる動画データの再生時間に従って、前記コメントを前記動画データが再生される前記出力装置に出力させるコメント情報配信部を備え、
前記コマンド配信サーバは、
要求する動画データに対応するコマンド及び当該コマンドに対応付けられる再生時間情報を前記端末装置に送信し、前記端末装置が前記出力装置に再生させる動画データの再生時間に従って、送信した当該コマンドに応じた前記所定の処理を実行させるコマンド情報配信部
を備えたことを特徴とする配信システム。
【請求項１０】
前記コマンドが実行させる所定の処理は、
前記出力装置に描画された画像が、前記コマンドに予め定められる条件情報の条件に合致するか否かを判定し、判定結果に応じて前記コマンドに応じた処理を実行する処理である
ことを特徴とする請求項９に記載の配信システム。
【請求項１１】
前記コマンドが実行させる所定の処理は、
前記端末装置が、前記コマンドに予め定められるコンテンツのデータを取得して前記出力装置に出力する処理である
ことを特徴とする請求項１０に記載の配信システム。
【請求項１２】
ネットワークを介して接続された動画配信サーバが配信する動画データの再生時間を示す再生時間情報と、当該再生時間情報に対応付けられるコメントとを記憶するコメント情報記憶手段を備え、動画再生端末装置に前記動画データと、前記コメント及び前記再生時間情報とを配信することで前記動画再生端末装置の出力装置に動画データを再生させるとともに再生時間に対応するコメントを前記出力装置に出力させるコメント配信サーバと、前記動画再生端末装置にて動画データの出力が行われる際に、当該動画再生端末装置に所定の処理を実行させるコマンドを、前記再生時間情報に対応付けて記憶するコマンド情報記憶手段を備えたコマンド配信サーバとを備えた配信システムであって、
前記動画配信サーバに接続して動画データを受信する受信手段と、
前記受信手段が受信した動画データを再生する動画再生手段と、
前記動画再生手段が前記動画データを再生している間に、ユーザの操作を受けて前記コマンドを入力する入力手段と、
前記入力手段が前記コマンドを入力した際の前記動画データの再生時間情報を検出する検出手段と、
前記検出手段が検出した前記再生時間情報と前記コマンドとを対応付けて前記コマンド配信サーバに送信して前記コマンド情報記憶手段に記憶させる登録手段と、
を備えたコマンド情報登録端末装置、
を更に具備することを特徴とする配信システム。
【請求項１３】
動画データを配信する動画配信サーバにネットワークを介して接続され、ユーザに操作される端末装置と、前記動画データの再生時間を示す再生時間情報と、当該再生時間情報に対応付けられるコメントとを記憶するコメント情報記憶手段を備えたコメント配信サーバと、所定の処理を実行させるコマンドを記憶するコマンド情報記憶手段を備えたコマンド配信サーバと、を備えた配信システムにおける端末装置を構成するコンピュータに、
前記動画配信サーバに接続し、前記動画配信サーバに動画データを要求して受信する際に、要求する動画データに対応するコメント及び当該コメントに対応付けられる再生時間情報と、当該コメントに対応するコマンドと、を受信手段により前記コメント配信サーバ及び前記コマンド配信サーバから受信する手順と、
動画再生手段により、前記受信手段が受信した動画データを出力装置に再生させる手順と、
コメント出力手段により、前記動画再生手段が再生する動画データの再生時間に従って、前記受信手段が受信したコメントを前記動画データが再生される出力装置に出力させる手順と、
コマンド実行手段により、前記受信手段が受信したコマンドに応じた前記所定の処理を実行する手順と、
を実行させるための端末装置のプログラム。
【請求項１４】
前記端末装置を構成するコンピュータに、
前記コメントが入力される第１の入力欄と、前記コマンドが入力される第２の入力欄とを前記出力装置に表示させる手順
を実行させるための請求項１３に記載のプログラム。
【請求項１５】
動画配信サーバから配信される動画データを受信して出力装置に再生させる端末装置にネットワークを介して接続され、前記動画データの再生時間を示す再生時間情報と、当該再生時間情報に対応付けられるコメントとを記憶するコメント情報記憶手段を備えたコメント配信サーバと、所定の処理を実行させるコマンドを記憶するコマンド情報記憶手段を備えたコマンド配信サーバと、を備えた配信システムにおいて、
前記端末装置が、前記動画配信サーバに接続し、前記動画配信サーバに動画データを要求して受信する際に、
前記コメント配信サーバが、
要求された動画データに対応するコメント及び当該コメントに対応付けられる再生時間情報を前記端末装置に送信し、前記端末装置が前記出力装置に再生させる動画データの再生時間に従って、前記コメントを前記動画データが再生される前記出力装置に出力させ、
前記コマンド配信サーバが、
前記出力装置に出力される前記コメントに対応するコマンドを前記端末装置に送信し、当該コマンドに応じた前記所定の処理を実行させる
ことを特徴とする配信方法。
【請求項１６】
ネットワークを介して接続された動画配信サーバが配信する動画データの再生時間を示す再生時間情報と、当該再生時間情報に対応付けられるコメントとを記憶するコメント情報記憶手段を備えたコメント配信サーバと、前記動画データと、前記コメント及び前記再生時間情報とを受信し、自身の備える出力装置に動画データを再生させるとともに再生時間に対応するコメントを前記出力装置に出力させる動画再生端末装置と、前記動画再生端末装置にて動画データの出力が行われる際に、当該動画再生端末装置に所定の処理を実行させるコマンドを示すコマンドを記憶するコマンド情報記憶手段を備えたコマンド配信サーバと、を備えた配信システムにおいて、
前記配信システムに備えられたコマンド情報登録端末装置が、
受信手段により、前記動画配信サーバに接続して動画データを受信し、
動画再生手段により、前記受信手段が受信した動画データを再生し、
入力手段により、前記動画再生手段が前記動画データを再生している間に、ユーザの操作を受けて前記コマンドの入力を受け、
検出手段が、前記入力手段により前記コマンドが入力された際の前記動画データの再生時間情報を検出し、
登録手段が、前記検出手段が検出した前記再生時間情報と前記コマンドとを対応付けて前記コマンド配信サーバに送信して前記コマンド情報記憶手段に記憶させる、
ことを特徴とするコマンド設定方法。
【手続補正２】
【補正対象書類名】明細書
【補正対象項目名】発明の名称
【補正方法】変更
【補正の内容】
【発明の名称】配信システム、端末装置のプログラム、配信方法、及び、コマンド設定方法